(57)【要約】      （修正有）【課題】  放送番組に応じてＴＶ音声を自動的に切り替えることができる携帯通信端末を提供する。【解決手段】  ＴＶ放送波の受信データから抽出された主音声又は副音声のいずれかをＴＶ音声として出力する音声出力部１４と、ユーザ選択言語を指定するユーザ言語指定情報を記憶するユーザ言語指定記憶部１８ａと、受信データから属性情報を抽出して副音声の有無を判別する属性判別部１９と、ＴＶ音声として出力させる音声をユーザ言語指定情報及び第１言語を指定するデフォルト言語指定情報に基づいて決定するＴＶ音声決定部２０により構成される。ＴＶ音声決定部２０は、ユーザ選択言語及び第１言語が一致すれば主音声を選択し、ユーザ選択言語及び第１言語が一致しなければ、属性判別部１９による判別結果に基づいて主音声又は副音声のいずれかを選択する。【選択図】  図４
2007281922.tif 000002
【特許請求の範囲】
【請求項１】
ＴＶ放送波を受信し、ユーザが指定したチャンネルの受信データを生成するＴＶ放送受信手段と、
上記受信データから抽出された主音声又は副音声のいずれかをＴＶ音声として出力する音声出力手段と、
メニュー表示に使用される言語であって、ユーザが選択した言語をユーザ選択言語として指定するユーザ言語指定情報を記憶するユーザ言語指定記憶手段と、
第１言語を指定するデフォルト言語指定情報を記憶するデフォルト言語指定記憶手段と、
上記受信データから属性情報を抽出し、上記副音声の有無を判別する属性判別手段と、
上記ＴＶ音声として出力させる音声を上記ユーザ言語指定情報及びデフォルト言語指定情報に基づいて、上記主音声又は副音声のいずれかに決定するＴＶ音声決定手段とを備え、
上記ＴＶ音声決定手段は、上記ユーザ選択言語及び上記第１言語が一致すれば、上記主音声を選択し、上記ユーザ選択言語及び上記第１言語が一致しなければ、上記属性判別手段による判別結果に基づいて上記主音声又は副音声のいずれかを選択することを特徴とする携帯通信端末。
【請求項２】
上記属性判別手段は、上記属性情報に含まれる放送番組のジャンル指定情報に基づいて、主音声とは言語の異なる副音声の有無を判別することを特徴とする請求項１に記載の携帯通信端末。
【請求項３】
上記デフォルト言語指定情報には、上記第１言語とは異なる言語を第２言語として指定する言語指定情報が含まれ、
上記ＴＶ音声決定手段は、上記副音声があった場合、上記第２言語及び上記ユーザ選択言語を比較し、この比較結果に基づいて上記副音声を選択することを特徴とする請求項１又は２に記載の携帯通信端末。
【請求項４】
上記ＴＶ音声決定手段は、上記主音声及び副音声に使用される言語の識別情報が上記属性情報に含まれていれば、上記識別情報に基づく言語の識別結果及び上記ユーザ言語指定情報に基づいて上記主音声又は副音声のいずれかを選択することを特徴とする請求項１に記載の携帯通信端末。
【請求項５】
上記受信データに基づいてＴＶ画像を画面表示する画面表示手段と、
上記属性情報に基づいて字幕情報の有無を判別し、この判別結果、上記ユーザ言語指定情報及びデフォルト言語指定情報に基づいて画面上に字幕を表示させるか否かを決定する字幕表示決定手段とを備え、
上記字幕表示決定手段は、上記ユーザ選択言語及び上記第１言語が一致すれば、上記字幕を表示させ、上記ユーザ選択言語及び上記第１言語が一致しなければ、上記属性判別手段による判別結果に基づいて上記字幕を表示させるか否かを決定することを特徴とする請求項１又は２に記載の携帯通信端末。
【請求項６】
上記デフォルト言語指定情報には、上記第１言語とは異なる言語を第２言語として指定する言語指定情報が含まれ、
上記字幕表示決定手段は、上記ユーザ選択言語及び上記第１言語が一致しなかった場合、上記第２言語及び上記ユーザ選択言語を比較し、この比較結果に基づいて上記字幕を表示させることを特徴とする請求項５に記載の携帯通信端末。
【発明の詳細な説明】
【技術分野】
【０００１】
本発明は、携帯通信端末に係り、さらに詳しくは、ＴＶ放送波を受信してＴＶ音声を出力することができる携帯電話機などの通信端末の改良に関する。
【背景技術】
【０００２】
近年、ＴＶ（TeleVision：テレビジョン）放送波を受信してＴＶ画像を表示することができる携帯電話機が普及している。この様な携帯電話機では、ユーザが選局したチャンネルのＴＶ放送波を受信してＴＶ画像及びＴＶ音声が生成され、画面表示及び音声出力が行われる。一般に、ＴＶ放送波から得られるＴＶ音声には、主音声の他に、副音声が含まれている場合がある。この副音声は、主音声とは言語や放送内容の異なる音声であり、例えば、報道番組や映画番組などの放送番組では、主音声とは使用される言語が異なっている副音声が付加される場合が少なくない。
【０００３】
従来、主音声及び副音声の選択は、副音声を実際に出力させ、その再生音を聴くことによって所望の音声であるか否かをユーザが判断して行われていた。このため、放送番組に応じて所望の音声にＴＶ音声を切り替えようとすると、放送番組の終了や他の番組への切り替わりごとにユーザがＴＶ音声を切り替えなければならないという問題があった。
【０００４】
上述した携帯電話機などの携帯通信端末には、通常、メニュー表示などに使用させる言語をユーザが選択した言語に切り替える機能が備えられている。そこで、ユーザが表示用言語として選択した言語に応じて主音声及び副音声が自動的に切り替えられれば、便利である。特に、表示用言語としてユーザが予め選択指定した言語と同じ言語の音声に自動的に切り替えられれば極めて便利である。
【０００５】
しかしながら、スポーツ番組などの放送番組では、放送内容は異なっているが使用される言語が主音声とは異なっていない副音声が付加されることも少なくないことから、副音声が付加されているからといって単純にＴＶ音声を副音声に切り替えると、ユーザが表示用言語として選択した言語とは異なる言語の音声がＴＶ音声として出力される場合が生じてしまうという問題があった。
【特許文献１】特開２００１−３２６７１３号公報
【特許文献２】特開２００３−２３４８２１号公報
【特許文献３】特開２００５−２４１３９３号公報
【発明の開示】
【発明が解決しようとする課題】
【０００６】
上述した通り、従来の携帯通信端末では、放送番組に応じて所望の音声にＴＶ音声を切り替えようとすると、放送番組の終了や他の番組への切り替わりごとにユーザがＴＶ音声を切り替えなければならないので、操作性が良くないという問題があった。また、副音声の有無に応じてＴＶ音声を単純に切り替えさせると、ユーザが意図する言語とは異なる言語の音声が出力される場合が生じるという問題があった。
【０００７】
本発明は、上記事情に鑑みてなされたものであり、所望の音声にＴＶ音声を自動的に切り替えることができる携帯通信端末を提供することを目的としている。特に、ユーザが表示用言語として選択した言語に応じてＴＶ音声を適切に切り替えることができる携帯通信端末を提供することを目的としている。また、本発明の他の目的は、ＴＶ音声の切り替えに連動させて字幕を表示させることができる携帯通信端末を提供することにある。
【課題を解決するための手段】
【０００８】
第１の本発明による携帯通信端末は、ＴＶ放送波を受信し、ユーザが指定したチャンネルの受信データを生成するＴＶ放送受信手段と、上記受信データから抽出された主音声又は副音声のいずれかをＴＶ音声として出力する音声出力手段と、メニュー表示に使用される言語であって、ユーザが選択した言語をユーザ選択言語として指定するユーザ言語指定情報を記憶するユーザ言語指定記憶手段と、第１言語を指定するデフォルト言語指定情報を記憶するデフォルト言語指定記憶手段と、上記受信データから属性情報を抽出し、副音声の有無を判別する属性判別手段と、上記ＴＶ音声として出力させる音声を上記ユーザ言語指定情報及びデフォルト言語指定情報に基づいて、上記主音声又は副音声のいずれかに決定するＴＶ音声決定手段とを備えて構成される。上記ＴＶ音声決定手段は、上記ユーザ選択言語及び上記第１言語が一致すれば、上記主音声を選択し、上記ユーザ選択言語及び上記第１言語が一致しなければ、上記属性判別手段による判別結果に基づいて上記主音声又は副音声のいずれかを選択する。
【０００９】
この携帯通信端末では、受信データから属性情報が抽出され、ＴＶ音声として出力させる音声がユーザ言語指定情報及びデフォルト言語指定情報に基づいて決定される。その際、ユーザがメニュー表示用の言語として選択したユーザ選択言語と、デフォルト言語指定情報が指定する第１言語とが一致すれば、主音声が選択され、一致しなければ、属性情報に基づいて主音声又は副音声のいずれかが選択される。この様な構成により、ユーザ選択言語が第１言語と一致した場合には主音声が選択され、ユーザ選択言語が第１言語と一致しなかった場合には属性情報に基づいて主音声又は副音声が選択されるので、ユーザがメニュー表示用の言語として選択した言語に応じてＴＶ音声を自動的に切り替えさせることができる。
【００１０】
第２の本発明による携帯通信端末は、上記構成に加え、上記属性判別手段が、上記属性情報に含まれる放送番組のジャンル指定情報に基づいて、主音声とは言語の異なる副音声の有無を判別するように構成される。すなわち、副音声があった場合に、放送番組のジャンル指定情報に基づいて副音声の言語が主音声とは異なっているか否かが判別される。この様な構成によれば、ユーザ選択言語が第１言語と一致しなかった場合に、主音声とは言語の異なる副音声の有無の判別結果に基づいて主音声又は副音声が適切に選択されるので、ユーザが表示用言語として選択した言語とは異なる言語の音声がＴＶ音声として選択されるのを防止することができる。従って、主音声と同じ言語の副音声が付加された放送番組の場合であっても、主音声及び副音声における言語の異同を判別することによりＴＶ音声が適切に選択されるので、ＴＶ音声が副音声に自動的に切り替えられるのを防止することができる。
【００１１】
第３の本発明による携帯通信端末は、上記構成に加え、上記デフォルト言語指定情報には、上記第１言語とは異なる言語を第２言語として指定する言語指定情報が含まれ、上記ＴＶ音声決定手段が、上記副音声があった場合、上記第２言語及び上記ユーザ選択言語を比較し、この比較結果に基づいて上記副音声を選択するように構成される。すなわち、ユーザ選択言語が第１言語と一致せず、かつ、副音声があった場合、ユーザ選択言語が第２言語と比較され、この比較結果に基づいて副音声が選択される。具体的には、例えば、ユーザ選択言語が第２言語と一致すれば、副音声が選択され、ユーザ選択言語が第２言語と一致しなければ、主音声が選択される。この様な構成によれば、ユーザ選択言語及び第２言語の比較結果に基づいてＴＶ音声が適切に選択されるので、表示用言語として選択可能な言語が３以上ある場合に、ユーザが表示用言語として選択した言語とは異なる言語の音声がＴＶ音声として選択されるのを防止することができる。
【００１２】
第４の本発明による携帯通信端末は、上記構成に加え、上記ＴＶ音声決定手段が、上記主音声及び副音声に使用される言語の識別情報が上記属性情報に含まれていれば、上記識別情報に基づく言語の識別結果及び上記ユーザ言語指定情報に基づいて上記主音声又は副音声のいずれかを選択するように構成される。この様な構成によれば、主音声及び副音声に使用される言語の識別情報が属性情報に含まれていた場合には、この識別情報に基づく言語の識別結果に基づいて主音声又は副音声が適切に選択されるので、ユーザが表示用言語として選択した言語の音声にＴＶ音声を自動的に切り替えさせることができる。
【００１３】
第５の本発明による携帯通信端末は、上記構成に加え、上記受信データに基づいてＴＶ画像を画面表示する画面表示手段と、上記属性情報に基づいて字幕情報の有無を判別し、この判別結果、上記ユーザ言語指定情報及びデフォルト言語指定情報に基づいて画面上に字幕を表示させるか否かを決定する字幕表示決定手段とを備えて構成される。上記字幕表示決定手段は、上記ユーザ選択言語及び上記第１言語が一致すれば、上記字幕を表示させ、上記ユーザ選択言語及び上記第１言語が一致しなければ、上記属性判別手段による判別結果に基づいて上記字幕を表示させるか否かを決定する。この様な構成によれば、ユーザ選択言語が第１言語と一致した場合には字幕を表示させ、ユーザ選択言語が第１言語と一致しなかった場合には属性情報に基づいて字幕を表示させるか否かが決定されるので、ユーザがメニュー表示用の言語として選択した言語に応じて字幕を表示させることができる。
【００１４】
第６の本発明による携帯通信端末は、上記構成に加え、上記デフォルト言語指定情報には、上記第１言語とは異なる言語を第２言語として指定する言語指定情報が含まれ、上記字幕表示決定手段が、上記ユーザ選択言語及び上記第１言語が一致しなかった場合、上記第２言語及び上記ユーザ選択言語を比較し、この比較結果に基づいて上記字幕を表示させるように構成される。
【発明の効果】
【００１５】
本発明による携帯通信端末によれば、ユーザ選択言語が第１言語と一致した場合には主音声が選択され、ユーザ選択言語が第１言語と一致しなかった場合には属性情報に基づいて主音声又は副音声が選択されるので、ユーザがメニュー表示用の言語として選択した言語に応じてＴＶ音声を自動的に切り替えさせることができる。特に、ユーザ選択言語が第１言語と一致しなかった場合に、主音声とは言語の異なる副音声の有無の判別結果に基づいて主音声又は副音声が適切に選択されるので、ユーザが表示用言語として選択した言語とは異なる言語の音声がＴＶ音声として選択されるのを防止することができる。従って、ユーザが表示用言語として選択した言語に応じてＴＶ音声を適切に切り替えることができ、所望の音声にＴＶ音声を自動的に切り替えることができる携帯通信端末を実現することができる。
【００１６】
また、ユーザ選択言語が第１言語と一致した場合には字幕を表示させ、ユーザ選択言語が第１言語と一致しなかった場合には属性情報に基づいて字幕を表示させるか否かが決定されるので、ユーザがメニュー表示用の言語として選択した言語に応じて字幕を表示させることができる。従って、ＴＶ音声の切り替えに連動させて字幕を表示させることができる。
【発明を実施するための最良の形態】
【００１７】
実施の形態１．
図１は、本発明の実施の形態１による携帯通信端末の概略構成の一例を示した斜視図であり、携帯通信端末の一例として折り畳み可能な携帯電話機１が示されている。この携帯電話機１は、表示画面２ａを有する表示筐体２と、操作キー４ａ，５ａ〜５ｃを有する操作筐体４と、表示筐体２及び操作筐体４を連結するヒンジ部３からなり、表示筐体２の表示画面２ａ及び操作筐体４の操作面を対向させて両筐体を折り畳むことができる。なお、図１には、両筐体を展開させた状態での携帯電話機１が示されている。
【００１８】
表示筐体２には、折り畳んだ状態で操作筐体４の操作面に対向する面に表示画面２ａ及び受話用レシーバ８が配置されている。表示画面２ａは、画像の出力部であり、矩形状に形成されている。ここでは、表示画面２ａの長手方向が表示筐体２の長手方向と一致するように配置されている。受話用レシーバ８は、通話時における音声の出力部であり、表示筐体２におけるヒンジ部３とは反対側の端部に配置されている。
【００１９】
操作筐体４には、折り畳んだ状態で表示筐体２の表示画面２ａに対向する面に操作キー４ａ，５ａ〜５ｃ及び送話用マイクロホン７が配置されている。操作キー４ａは、テンキー、オンフックキー、オフフックキーなどからなり、操作筐体４におけるヒンジ部３とは反対側に配置されている。
【００２０】
操作キー５ａ〜５ｃは、機能割り当てを示すアイコンが表示画面２ａ上に表示される操作キーであり、ガイドキー、機能キー、ソフトキーなどと呼ばれることもある。各操作キー５ａ〜５ｃは、操作筐体４におけるヒンジ部３側に配置されている。
【００２１】
ここでは、この様な操作キーとして、メニューキー５ａ、終了キー５ｂ及び方向キー５ｃが設けられているものとする。メニューキー５ａは、メニュー表示させるための操作キーであり、操作筐体４の左側に配置されている。終了キー５ｂは、起動中のアプリケーションを終了させるための操作キーであり、操作筐体４の右側に配置されている。方向キー５ｃは、押下位置に応じて異なる入力が可能な多機能キーであり、カーソル位置などを上下左右に移動させることができる。
【００２２】
送話用マイクロホン７は、通話時における音声の入力部であり、操作筐体４におけるヒンジ部３とは反対側の端部に配置されている。
【００２３】
ヒンジ部３は、操作筐体４に対して回動可能に設けられた連結部３ａと、表示筐体２を保持する保持部３ｂにより構成される。連結部３ａは、保持部３ｂの一端部において互いに一定間隔を隔てて突出するように形成された２つの円筒体からなる。操作筐体４の内面における長手方向の一端部には、長手方向に垂直な方向に延びるように円筒体６が形成されており、この円筒体６が連結部３ａの各円筒体間に同軸に配置されている。ヒンジ部３を操作筐体４に対して回動させることにより、端末を折り畳むことができる。
【００２４】
保持部３ｂは、表示筐体２を表示画面２ａに平行な面内で回転可能に保持し、表示筐体２は、操作筐体４に対する傾斜角度を保った状態で回転できるようになっている。つまり、ヒンジ部３は、表示筐体２及び操作筐体４を連結し、表示画面２ａが縦長状態及び横長状態を遷移可能となるように、操作筐体４に対して表示筐体２を回転可能に保持する手段となっている。
【００２５】
この様な折り畳み式の携帯電話機１は、コンパクトに折り畳んだ状態で携帯することができ、筐体を展開させれば、表示画面２ａの表示を見ながら、操作キー４ａを操作することができる。また、この携帯電話機１は、図１に示すように表示画面２ａを縦長状態として表示筐体２の内面に耳を当てることにより、送話用マイクロホン７が口に接近するとともに、受話用レシーバ８が耳に接近し、良好に通話を行うことができるようになっている。
【００２６】
図２は、図１の携帯電話機１における表示筐体２を操作筐体４に対して回転させた状態を示した斜視図であり、正面から見て図１の状態から時計回りに約４５°回転させた状態が示されている。図３は、図１の携帯電話機１の表示筐体２を回転させた状態を示した斜視図であり、正面から見て図１の状態から時計回りに９０°回転させた状態が示されている。
【００２７】
ユーザは、操作筐体４を把持した状態で、表示筐体２を回転させることにより、図１に示した縦長状態と、図３に示した横長状態とを切り替えることができる。つまり、図１に示す縦長状態から表示筐体２を回転させることにより、図２の状態を経て、図３に示すような表示画面２ａの横長状態に遷移させることができる。
【００２８】
ＴＶ放送を視聴する際には、表示画面２ａを横長状態に切り替えることにより、ＴＶ画像のアスペクト比に合致させてＴＶ画像を表示することができる。すなわち、表示画面２ａは、長辺と短辺の比が１６：９となっており、一般的なＴＶ放送に用いられるＴＶ画像のアスペクト比と一致している。
【００２９】
図１の状態から表示筐体２を時計回りに回転させる場合、図２に示した状態となるまでは、ヒンジ部３の保持部３ｂ内に備えられた付勢手段により、表示筐体２に対して反時計回りに付勢力が作用するようになっている。従って、図１の状態では、表示筐体２に対して反時計回りに作用する付勢力によって、外力が作用しない限り表示筐体２が図１の状態のまま維持されるようになっている。
【００３０】
一方、図２の状態を超えて表示筐体２をさらに時計回りに回転させると、表示筐体２に作用する付勢力が時計回りに切り替わり、図３に示した状態で表示筐体２が係止される。これにより、外力が作用しない限り表示筐体２が図３の状態のまま維持されるようになっている。
【００３１】
本実施の形態では、表示筐体２は一定位置に固定された回転軸を中心に回転するのではなく、表示筐体２の回転に伴って移動する回転軸を中心に回転するようになっている。これにより、図１に示すように長手方向の一端部が操作筐体４に近接した縦長状態の表示筐体２を９０°回転させても、図３に示すように表示筐体２の長手方向に垂直な方向の一端部が操作筐体４に近接し、コンパクトに横長状態とされた表示画面２ａにＴＶ画像を表示させてＴＶ放送を視聴することができるようになっている。
【００３２】
また、操作筐体４を把持した状態のまま表示筐体２を縦長状態から横長状態に回転させることにより、携帯電話機１を持ち替えることなくＴＶ放送を視聴することができる。このとき、表示筐体２に作用する付勢力により、表示筐体２を縦長状態と横長状態との間でスムーズに切り替えることができるようになっている。
【００３３】
図４は、図１の携帯電話機１内における機能構成の一例を示したブロック図である。この携帯電話機１は、上述した受話用レシーバ８及び送話用マイクロホン７の他に、アンテナ１１ａ，１２ａ、セルラー通信部１１、ＴＶ放送受信部１２、操作入力部１３、音声出力部１４、画像生成部１６、ＬＣＤ１７、表示用言語切り替え部１８、ユーザ言語指定記憶部１８ａ、属性判別部１９及びＴＶ音声決定部２０を備えており、それらの動作がプロセッサからなる主制御部１５により制御される。
【００３４】
音声出力部１４は、スピーカ１４ａから音声を出力させる出力装置である。通常、受話用レシーバ８が耳に近づけた状態で使用されるのに対し、スピーカ１４ａは、耳から離した状態で使用される。従って、スピーカ１４ａは、受話用レシーバ８に比べて、大きな音量の音を出力することができる。このスピーカ１４ａは、着信時に着信音を出力し、通話時に受話音を出力し、或いは、ＴＶ視聴時にＴＶ音声を出力するための内蔵スピーカとして用いられる。
【００３５】
スピーカ１４ａを用いて相手方電話機との間で通話を行う場合には、相手方電話機からの音声が増幅されてスピーカ１４ａから出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話と、ハンズフリーによる通話との切り替えは、操作キー４ａの操作により行うことができる。
【００３６】
この音声出力部１４では、主制御部１５を介してＴＶ放送受信部１２から入力される受信データに基づいてＴＶ音声が生成され、再生音がスピーカ１４ａから出力される。その際、受信データから抽出した主音声又は副音声のいずれかがＴＶ音声として出力される。
【００３７】
セルラー通信部１１は、通信用のアンテナ１１ａを介して基地局との間で電波の送受信を行う移動体通信処理手段である。相手方電話機との間で通話回線が確立された状態では、ユーザの送話音に基づく音声信号がセルラー通信部１１から送信され、相手方電話機からの送話音に基づく音声信号がセルラー通信部１１で受信されることにより、通話音がリアルタイムで送受信される。
【００３８】
ＴＶ放送受信部１２は、ＴＶ放送受信用のアンテナ１２ａを介して、ＴＶ局から発信されているＴＶ放送波を受信するチューナーである。このＴＶ放送受信部１２により、ＴＶ画像、ＴＶ音声及び属性情報からなる受信データが生成される。ＴＶ局から発信されるＴＶ放送波には、アナログ放送に対応したアナログ放送波と、デジタル放送に対応したデジタル放送波とが含まれている。このＴＶ放送受信部１２が受信するデジタル放送波は、一般のデジタルハイビジョン放送波の一定帯域に割り当てられた携帯電話機向けの１セグメント放送波であり、ＴＶ画像及びＴＶ音声に加えて、そのＴＶ画像に対応する字幕や関連する記事などの文字情報、副音声やステレオ放送の有無などの音声情報、受信電波の周波数帯に応じたチャンネル情報などが属性情報として含まれている。
【００３９】
ＴＶ放送受信部１２によるＴＶ放送波の受信処理では、ユーザが選局したチャンネルに対応する特定の周波数帯域に含まれるベースバンド信号が抽出され、受信データとして出力される。
【００４０】
ＴＶ放送受信部１２で受信したＴＶ放送波に基づいて、表示画面２ａ上にＴＶ画像を表示するとともに、そのＴＶ画像に対応するＴＶ音声をスピーカ１４ａから出力することにより、ＴＶ放送を視聴することができる。また、ＴＶ放送波に含まれる文字情報を抽出して表示画面２ａに表示させることにより、ＴＶ画像とともに字幕などの文字情報を表示させることができる。また、ＴＶ放送波に基づくＴＶ画像やＴＶ音声をメモリ（図示せず）に記憶させれば、ＴＶ放送を録画することができる。
【００４１】
操作入力部１３は、各操作キー４ａ，５ａ〜５ｃの操作に基づいて入力信号を生成する動作を行っている。ＬＣＤ（Liquid Crystal Display：液晶ディスプレイ）１７は、表示画面２ａを有する画像の出力装置である。画像生成部１６は、画像データを生成し、ＬＣＤ１７に画面表示させる動作を行っている。具体的は、待ち受け画面、着信画面、電子メールの閲覧画面、メニュー画面、ＴＶ画像などが画像データとして生成される。
【００４２】
待ち受け画面は、待ち受け時に表示させる画面表示であり、着信画面は、電話や電子メールの着信時に表示させる画面表示である。電子メールの閲覧画面は、受信メールのヘッダ情報やメール本文を表示し、或いは、電子メールを作成編集するための画面表示である。メニュー画面は、各種機能や制御パラメータなどをユーザに選択させる画面表示であり、例えば、メニューキー５ａの操作により表示される。
【００４３】
画像生成部１６では、主制御部１５を介してＴＶ放送受信部１２から入力される受信データに基づいてＴＶ画像が生成され、再生画像が表示画面２ａ上に表示される。
【００４４】
表示用言語切り替え部１８は、メニュー画面や電子メールの閲覧画面の表示などに使用される言語をユーザ操作に基づいて切り替える処理を行っている。具体的には、表示用言語を選択させるメニュー画面上でユーザが複数の言語の中から所望の言語を選択することにより、当該言語が表示用言語に指定される。その際、ユーザが選択指定した上記言語をユーザ選択言語として指定するユーザ言語指定情報がユーザ言語指定記憶部１８ａ内に格納される。画像生成部１６では、このユーザ言語指定情報に基づいて画面表示が行われ、ユーザ選択言語で文字列などが表示される。
【００４５】
属性判別部１９は、受信データから受信チャンネルの属性情報を抽出し、その抽出結果に基づいて副音声の有無を判別して属性判別情報を生成する処理を行っている。ここでは、属性判別部１９により属性情報に含まれる放送番組のジャンル指定情報に基づいて、主音声とは言語の異なる副音声の有無が判別されるものとする。
【００４６】
一般に、主音声は、発信元のＴＶ局が属する言語圏（国や地域など）で主に用いられている言語による音声である。副音声は、ＴＶ局が放送番組などに応じて付加する音声であり、主音声とは使用される言語や放送内容が異なっている。例えば、報道番組や映画番組などの放送番組では、主音声とは言語の異なる音声が副音声として付加される場合が少なくない。具体的には、日本国内の場合、主音声として日本語の音声が付加され、副音声として英語の音声が付加される。一方、スポーツ番組などの放送番組では、主音声と同じ言語の音声が副音声として付加される場合がある。
【００４７】
ジャンル指定情報は、番組内容や視聴対象に応じて放送番組を区分するためにＴＶ局が付加させる付加情報である。このジャンル指定情報により、放送番組が属する区分（ジャンル）を判別することができる。例えば、受信中の放送番組が、報道番組、映画番組、スポーツ番組のいずれのジャンルに属するのかを判別することができる。属性判別部１９では、この様なジャンル指定情報に基づいて主音声と言語の異なる副音声の有無が判別されるので、主音声及び副音声における言語の異同を正しく判別することができる。
【００４８】
ＴＶ音声決定部２０は、ＴＶ音声として出力させる音声を主音声又は副音声のいずれかに決定する処理を行っている。具体的には、ユーザ言語指定記憶部１８ａ内に格納されているユーザ言語指定情報と、デフォルトで定められている言語指定情報とに基づいて、出力音声が決定される。
【００４９】
図５は、図４の携帯電話機１の要部における構成例を示したブロック図であり、ＴＶ音声決定部２０の詳細が示されている。このＴＶ音声決定部２０は、比較部２１、デフォルト言語指定記憶部２２及び出力言語指示部２３により構成される。デフォルト言語指定記憶部２２は、表示用言語として選択可能な複数の言語の中から第１言語２２ａ及び第２言語２２ｂを指定するデフォルト言語指定情報を記憶する不揮発性のメモリである。
【００５０】
このデフォルト言語指定情報は、ＴＶ音声の主音声に対応付ける言語を第１言語２２ａとし、副音声に対応付ける言語であって第１言語２２ａとは異なる言語を第２言語２２ｂとして指定する言語指定情報である。ここでは、デフォルト言語指定情報が製品出荷時にデフォルト言語指定記憶部２２内に書き込まれ、従って、第１言語２２ａ及び第２言語２２ｂは予め定められるものとする。なお、デフォルト言語指定情報は、ユーザ操作によって書き換えられるようなものであっても良い。
【００５１】
一般に、端末が使用される国や地域の言語圏が判明すれば、主音声や副音声に使用される言語を特定することができると考えられる。この様にして特定された言語がデフォルト言語指定情報により指定される。ここでは、第１言語２２ａ又は第２言語２２ｂとして指定される言語はいずれも１つであるものとする。具体的には、例えば、第１言語２２ａとして日本語が指定され、第２言語２２ｂとして英語が指定される。
【００５２】
比較部２１は、ユーザ言語指定情報及びデフォルト言語指定情報に基づいて、ユーザ選択言語と、第１言語２２ａ及び第２言語２２ｂとを比較し、比較結果を出力言語指示部２３へ出力する処理を行っている。
【００５３】
出力言語指示部２３は、比較部２１による比較結果と、属性判別情報とに基づいて、出力音声を決定し、ＴＶ音声制御信号を生成する処理を行っている。具体的には、ユーザ選択言語及び第１言語２２ａが一致していれば、主音声を選択し、ユーザ選択言語及び第１言語２２ａが一致していなければ、属性判別情報に基づいて主音声又は副音声のいずれかを選択する動作が行われる。
【００５４】
ユーザ選択言語及び第１言語２２ａが一致していなかった場合、主音声と言語の異なる副音声がなければ、主音声が選択され、主音声と言語の異なる副音声があれば、第２言語２２ｂ及びユーザ選択言語の比較結果に基づいて副音声が選択される。ここでは、主音声と言語の異なる副音声があった場合、ユーザ選択言語及び第２言語２２ｂが一致していれば、副音声が選択され、一致していなければ、主音声が選択されるものとする。
【００５５】
なお、主音声と言語の異なる副音声があるにもかかわらず、ユーザ選択言語が第１言語２２ａ及び第２言語２２ｂのいずれにも一致しなかった場合に、主音声を選択させるのに代えて副音声を選択させても良い。
【００５６】
音声出力部１４では、出力言語指示部２３からのＴＶ音声制御信号に基づいて、ＴＶ音声として出力させる音声が切り替えられる。ここでは、ＴＶ放送波の受信処理開始時又は属性情報に変化が生じた際に、言語指定情報に基づく比較処理及び属性判別情報に基づく出力音声の決定処理が行われるものとする。これにより、ＴＶ視聴中における放送番組の終了や他の放送番組への切り替わりに応じて適切な音声にＴＶ音声を自動的に切り替えさせることができる。
【００５７】
図６は、図４の携帯電話機１における動作の一例を示した図であり、表示用言語を選択させるメニュー画面が表示された表示画面２ａが示されている。この例では、表示画面２ａが横長状態にある場合にメニュー画面を表示させたケースが示されている。この横長状態では、ユーザから見て、表示領域が上下方向に比べて左右方向に拡がっている。この様な横長状態においては、表示画面２ａの上端部にピクトグラム（絵文字）の表示領域３１が設けられ、下端部にアイコンの表示領域３３が設けられる。表示領域３１及び表示領域３３間は、メニュー表示やＴＶ画像の表示領域３２となっている。
【００５８】
表示領域３１内には、電波の受信強度、電子メールの着信、電池の残量を示す各ピクトグラムが配置されている。表示領域３３内には、終了アイコンなどのアイコンが配置されている。
【００５９】
メニュー表示される表示領域３２内には、表示用言語として選択可能な複数の言語の識別情報が一覧表示３４されている。この例では、識別情報として、項目番号及び言語名が表示されている。具体的には、「１．日本語」、「２．英語」、「３．フランス語」、「中国語」が表示され、ユーザは、これらの４つの言語の中から表示用言語を選択指定することができる。ここでは、方向キー５ｃ又はテンキーを操作することにより、これらの言語のうちのいずれか１つが選択指定されるものとする。選択指定されている言語の識別情報３４ａ（「１．日本語」）は、反転表示され、所定のキー操作によって表示用言語の切り替え処理が実行される。
【００６０】
図７は、図４の携帯電話機１における動作の一例を示した図であり、表示用言語を英語に切り替えた後の表示画面２ａが示されている。この例では、表示用言語の切り替え後におけるメニュー画面が表示されている。表示用言語を切り替えると、アイコンとして表示される文字列や識別情報を示す文字列などの表示が切り替えられる。
【００６１】
具体的には、選択可能な言語の識別情報として、「１．Ｊａｐａｎｅｓｅ」、「２．Ｅｎｇｌｉｓｈ」、「３．Ｆｒｅｎｃｈ」、「４．Ｃｈｉｎｅｓｅ」が表示され、選択指定されている言語の識別情報３４ｂ（「２．Ｅｎｇｌｉｓｈ」）が反転表示されている。
【００６２】
図８は、図４の携帯電話機１における動作の一例を示した図であり、ＴＶ画像が表示された表示画面２ａが示されている。所定のキー操作によってＴＶをオンさせると、ＴＶ放送波の受信処理が開始され、ＴＶ画像が表示されるとともに、ＴＶ音声が出力される。ＴＶ放送波の再生画像は、表示画面２ａの表示領域３２内に表示され、ＴＶ音声はスピーカ１４ａから再生される。
【００６３】
表示領域３３内には、メニューアイコン３３ａや終了アイコン３３ｂが配置されている。メニューアイコン３３ａは、メニューキー５ａに対応付けられたアイコンであり、終了アイコン３３ｂは、終了キー５ｂに対応付けられたアイコンである。
【００６４】
この例では、ユーザが選局したＴＶ局（チャンネル２）が放送する報道番組「ニュースＴＶ」がＴＶ画像として表示されている。報道番組や映画番組などの放送番組では、主音声とは言語の異なる副音声がＴＶ音声として付加されている場合が少なくない。本実施の形態では、ＴＶ放送波の受信データにこの様な副音声が付加されている場合、ユーザが表示用言語として選択した言語に応じてＴＶ音声が自動的に切り替えられる。
【００６５】
具体的には、ユーザ選択言語がデフォルトで指定されている第１言語２２ａと一致すれば、ユーザが意図する音声は、当該ユーザ選択言語と同じ言語、すなわち、第１言語２２ａ（ここでは、日本語）による音声であるとみなして主音声が出力される。また、ユーザ選択言語がデフォルトで指定されている第２言語２２ｂと一致すれば、ユーザが意図する音声は、当該ユーザ選択言語と同じ言語、すなわち、第２言語２２ｂ（ここでは、英語）による音声であるとみなして副音声が出力される。また、ユーザ選択言語がデフォルトで指定されている言語のいずれにも一致しなければ、副音声は当該ユーザ選択言語とは異なる言語による音声であるとみなされ、ここでは、主音声が出力される。つまり、デフォルト言語指定情報と、属性情報としてのジャンル指定情報に基づいて副音声に使用される言語が推定され、ＴＶ音声が適切に切り替えられる。
【００６６】
図９のステップＳ１０１〜Ｓ１０８は、図４の携帯電話機１におけるＴＶ音声の自動切替動作の一例を示したフローチャートである。まず、比較部２１は、ユーザ選択言語及び第１言語２２ａを比較し、この比較結果を出力言語指示部２３へ出力する（ステップＳ１０１）。出力言語指示部２３は、ユーザ選択言語及び第１言語２２ａが一致していれば、主音声を指示し（ステップＳ１０２，Ｓ１０８）、この処理を終了する。
【００６７】
一方、ユーザ選択言語及び第１言語２２ａが一致していなければ、属性判別情報が参照され、主音声と言語の異なる副音声の有無に基づいて出力音声が指示される（ステップＳ１０３，Ｓ１０４）。このとき、主音声と言語の異なる副音声がなければ、主音声が指示され、この処理は終了する。また、主音声と言語の異なる副音声があれば、ユーザ選択言語が第２言語２２ｂと比較され、この比較結果に基づいて出力音声が指示される（ステップＳ１０５，Ｓ１０６）
【００６８】
このとき、ユーザ選択言語が第２言語２２ｂと一致していれば、副音声が指示され（ステップＳ１０７）、一致していなければ、主音声が指示される。
【００６９】
本実施の形態によれば、ユーザ選択言語が第１言語２２ａと一致した場合には主音声が選択され、ユーザ選択言語が第１言語２２ａと一致しなかった場合には属性判別情報に基づいて主音声又は副音声が選択されるので、ユーザが表示用言語として選択した言語に応じてＴＶ音声を自動的に切り替えさせることができる。特に、ユーザ選択言語が第１言語２２ａと一致しなかった場合に、主音声とは言語の異なる副音声の有無の判別結果に基づいて主音声又は副音声が適切に選択されるので、ユーザが表示用言語として選択した言語とは異なる言語の音声がＴＶ音声として選択されるのを防止することができる。従って、主音声と同じ言語の副音声が付加された放送番組の場合であっても、主音声及び副音声における言語の異同を判別することによりＴＶ音声が適切に選択されるので、ＴＶ音声が副音声に自動的に切り替えられるのを防止することができる。
【００７０】
なお、本実施の形態では、デフォルト言語指定情報及び属性情報から副音声に使用される言語を推定してＴＶ音声が自動的に切り替えられる場合の例について説明したが、本発明はこれに限られるものではない。例えば、受信データから抽出される属性情報に主音声及び副音声に使用される言語の識別情報が含まれていれば、この識別情報に基づく言語の識別結果及びユーザ言語指定情報に基づいてＴＶ音声を切り替えさせても良い。
【００７１】
具体的は、ユーザ言語指定情報及びデフォルト言語指定情報に基づいて行われる比較処理の前に、まず、受信データから抽出された属性情報に言語の識別情報が含まれているか否かを判別し、この判別結果に基づいてＴＶ音声を切り替えさせる。すなわち、属性情報に言語の識別情報が含まれていなければ、上記比較処理を行ってその比較処理結果に基づいてＴＶ音声を切り替えさせる。一方、属性情報に言語の識別情報が含まれていれば、当該識別情報に基づいて主音声及び副音声に使用される言語を識別し、その識別結果と、ユーザ言語指定情報に基づいてＴＶ音声を切り替えさせる。例えば、ユーザ選択言語と同じ言語の音声にＴＶ音声を切り替えさせる。
【００７２】
この様な構成によれば、主音声及び副音声に使用される言語の識別情報が属性情報に含まれていた場合には、この識別情報に基づく言語の識別結果に基づいて主音声又は副音声が適切に選択されるので、ユーザが表示用言語として選択した言語の音声にＴＶ音声を自動的に切り替えさせることができる。
【００７３】
実施の形態２．
実施の形態１では、ＴＶ音声の主音声及び副音声が自動的に切り替えられる場合の例について説明した。これに対し、本実施の形態では、字幕に関する属性情報に基づいて字幕を表示する場合について説明する。
【００７４】
図１０は、本発明の実施の形態２による携帯通信端末の構成例を示したブロック図である。この携帯通信端末４０は、図４の携帯電話機１と比較すれば、字幕表示決定部４１を備えている点で異なる。字幕表示決定部４１は、受信データから抽出された属性情報に基づいて字幕情報の有無を判別し、この判別結果、ユーザ言語指定情報及びデフォルト言語指定情報に基づいて表示画面２ａ上に字幕を表示させるか否かを決定する処理を行っている。
【００７５】
一般に、映画番組などの放送番組には、文字情報として字幕情報が付加されている場合が少なくない。ここでいう字幕とは、ＴＶ画像に対応して表示画面２ａ上に表示される文字列のことであり、番組内容や視聴対象に応じて付加される。具体的には、日本国内の場合、日本語による字幕が付加される。ここでは、ＴＶ画像上に表示させるものの他に、ＴＶ画像とは異なる表示領域内に表示させるものも字幕と呼ぶことにする。
【００７６】
字幕表示決定部４１では、この様な字幕情報が付加されていた場合、ユーザ選択言語及び第１言語２２ａが一致すれば、字幕を表示させ、ユーザ選択言語及び第１言語２２ａが一致しなければ、属性判別部１９による判別結果に基づいて字幕を表示させるか否かを決定する。つまり、ユーザ選択言語が第１言語２２ａと一致すれば、当該ユーザ選択言語は字幕に使用されている言語と同じ言語であるとみなして字幕が表示される。
【００７７】
一方、ユーザ選択言語及び第１言語２２ａが一致しなかった場合には、当該ユーザ選択言語は字幕に使用されている言語とは異なる言語であるとみなされる。このとき、第２言語２２ｂ及びユーザ選択言語が比較され、この比較結果に基づいて字幕が表示される。ここでは、ユーザ選択言語が第２言語２２ｂと一致すれば、字幕は表示されず、ユーザ選択言語が第１言語２２ａ及び第２言語２２ｂのいずれとも一致しなければ、字幕は表示されるものとする。
【００７８】
つまり、字幕に使用されていると推定される言語（日本語）と同じ言語をユーザが表示用言語として選択すれば字幕を表示させ、字幕に使用されている言語とは異なっていると推定される第２言語２２ｂ（ここでは、英語）をユーザが表示用言語として選択すれば字幕を表示させない。従って、ユーザが表示用言語として選択した言語に応じて字幕を表示させることができるので、ユーザが意図しない言語の字幕は、自動的に非表示とすることができる。字幕を表示させないことにより、ＴＶ画像が見やすくなり、或いは、字幕の表示領域を他の目的に使用することができる。
【００７９】
本実施の形態によれば、ユーザ選択言語が第１言語２２ａと一致した場合には字幕を表示させ、ユーザ選択言語が第１言語２２ａと一致しなかった場合には属性情報に基づいて字幕を表示させるか否かが決定されるので、ユーザがメニュー表示用の言語として選択した言語に応じて字幕を表示させることができる。
【００８０】
なお、実施の形態１及び２では、ＴＶ音声を自動的に切り替えさせる場合の例について説明したが、本発明はこれに限られるものではない。例えば、インターネットなどの通信ネットワーク上のウェブサーバーにアクセスしてサイト情報を取得するブラウザにおける言語設定の自動切り替えにも本発明を適用することができる。
【００８１】
具体的には、取得したサイト情報に基づいて表示言語の異なるリンク先情報の有無を判別させ、その様なリンク先があれば、ユーザ選択言語と同じ言語のリンク先にアクセスさせるようにすることが考えられる。この様にすれば、ウェブサイトの表示言語をユーザが表示用言語として選択した言語に自動的に切り替えさせることができる。
【図面の簡単な説明】
【００８２】
【図１】本発明の実施の形態１による携帯通信端末の概略構成の一例を示した斜視図であり、携帯通信端末の一例として折り畳み可能な携帯電話機１が示されている。
【図２】図１の携帯電話機１における表示筐体２を操作筐体４に対して回転させた状態を示した斜視図であり、時計回りに約４５°回転させた状態が示されている。
【図３】図１の携帯電話機１の表示筐体２を回転させた状態を示した斜視図であり、時計回りに９０°回転させた状態が示されている。
【図４】図１の携帯電話機１内における機能構成の一例を示したブロック図である。
【図５】図４の携帯電話機１の要部における構成例を示したブロック図であり、ＴＶ音声決定部２０の詳細が示されている。
【図６】図４の携帯電話機１における動作の一例を示した図であり、表示用言語を選択させるメニュー画面が表示された表示画面２ａが示されている。
【図７】図４の携帯電話機１における動作の一例を示した図であり、表示用言語を英語に切り替えた後の表示画面２ａが示されている。
【図８】図４の携帯電話機１における動作の一例を示した図であり、ＴＶ画像が表示された表示画面２ａが示されている。
【図９】図４の携帯電話機１におけるＴＶ音声の自動切替動作の一例を示したフローチャートである。
【図１０】本発明の実施の形態２による携帯通信端末の構成例を示したブロック図である。
【符号の説明】
【００８３】
１  携帯電話機
２  表示筐体
２ａ  表示画面
３  ヒンジ部
３ａ  連結部
３ｂ  保持部
４  操作筐体
４ａ，５ａ〜５ｃ  操作キー
７  送話用マイクロホン
８  受話用レシーバ
１１  セルラー通信部
１２  ＴＶ放送受信部
１３  操作入力部
１４  音声出力部
１４ａ  スピーカ
１５  主制御部
１６  表示制御部
１７  ＬＣＤ
１８  表示用言語切り替え部
１８ａ  ユーザ言語指定記憶部
１９  属性判別部
２０  ＴＶ音声決定部
２１  比較部
２２  デフォルト言語指定記憶部
２３  出力言語指示部
４０  携帯通信端末
４１  字幕表示決定部
【図１】
2007281922.tif 000003
【図２】
2007281922.tif 000004
【図３】
2007281922.tif 000005
【図４】
2007281922.tif 000006
【図５】
2007281922.tif 000007
【図６】
2007281922.tif 000008
【図７】
2007281922.tif 000009
【図８】
2007281922.tif 000010
【図９】
2007281922.tif 000011
【図１０】
2007281922.tif 000012